(57)【要約】【課題】カラー画像を含む印刷物中の濃色部分の再現にあたり生じやすい調子つぶれを防止し、高濃度と調子再現を両立させる。【解決手段】４原色（ＣＭＹＫ）インキの重ね刷り過程について、主版色分版を使用する第一のセットと、補色分版を使用する第二のセットに分割し、かつ、色分解データに補正（当該補正式の一例を図２に示す）を加えて、主版色分版と補色分版の網点面積の最適化を図る。主版色分版と補色分版を使用する刷り重ね印刷にあっては、同一の（ＣＭＹＫ）インキを使用する。【選択図】図２
2011126244.tif 000002
【特許請求の範囲】
【請求項１】
カラー画像を含む印刷物の製造方法において、
以下の工程からなる印刷物の製造方法。
イ  カラー原稿画像をＣＭＹＫの４色に色分解して、式（１）を満足し、ＡＭスクリーンによる主版色分版である、Ａ−Ｃ１版、Ａ−Ｍ１版、Ａ−Ｙ１版とＡ−Ｋ１版を作成する工程
式（１）
０≦ｘ≦０．５のとき  ｙ＝ｘ×（１−２ａ）  であり、
０．５≦ｘ≦１．０  のとき  ｙ＝ｘ×（１＋２ａ）−２ａ
（式（１）中で、
ＣＭＹＫの４色中の任意の特定色に関し、
ｘはカラー原稿画像中の任意の微小面中に含まれ、色分解の結果として特定色が含まれる領域の合計面積が、前記微小面の面積に占める割合を示し、
ｙは前記特定色の主版色分版において、カラー原稿中の前記微小面に対応する位置における同一面積の微小面中で、特定色の前記主版色分版に形成された網点面積の合計値が前記微小面の面積に占める割合を示し、
ａの値は０以上０．４以下であり、
式（１）はＣＭＹＫの４色のいずれの色についても成立する。）
ロ  イの工程で用いたと同一のカラー原稿画像をＣＭＹの３色に色分解して、式（２）を満足し、ＦＭスクリーンによる補色分版である、Ａ−Ｃ２版、Ａ−Ｍ２版とＡ−Ｙ２版を作成する工程
式（２）
ｙ＝ｂｘ
（式（２）中で、
ＣＭＹの３色中の任意の特定色に関し、
ｘはカラー原稿画像中の任意の微小面中に含まれ、色分解の結果として特定色が含まれる領域の合計面積が、前記微小面の面積に占める割合を示し、
ｙは前記特定色の補色分版において、前記カラー原稿中の微小面に対応する位置における同一面積の微小面積中で、特定色の補色分版に形成された網点面積の合計値が前記微小面積に占める割合を示し、
ｂの値は０．５以上０．８以下であり、
式（２）はＣＭＹの３色のいずれの色についても成立する。）
ハ  Ａ−Ｃ１版とＣインキの組合せ、Ａ−Ｍ１版とＭインキの組合せ、Ａ−Ｙ１版とＹインキの組合せ並びにＡ−Ｋ１版とＫインキの組合せを使用して、印刷基材に刷り重ねを行う工程
ニ  Ａ−Ｃ２版とハの工程に使用したと同一のＣインキの組合せ、Ａ−Ｍ２版とハの工程に使用したと同一のＭインキの組合せ並びにＡ−Ｙ２版とハの工程に使用したと同一のＹインキの組合せを使用して、印刷基材に刷り重ねを行う工程
【請求項２】
前記ハの工程に使用する前記Ｃインキ、前記Ｍインキ、前記Ｙインキ及び前記ＫインキがそれぞれＵＶインキであることを特徴とする請求項１に記載した印刷物の製造方法。
【請求項３】
前記印刷物を刷る印刷基材が、合成樹脂フィルムであることを特徴とする請求項１乃至２いずれかに記載した印刷物の製造方法。
【請求項４】
カラー画像を含む印刷物の製造方法において、
以下の工程からなる印刷物の製造方法。
イ−２  カラー原稿画像をＣＭＹＫの４色に色分解して、
式（３）を満足し、ＡＭスクリーンによる主版色分版である、Ｂ−Ｃ１版、Ｂ−Ｍ１版とＢ−Ｙ１版並びに、
式（４）を満足し、ＡＭスクリーンによる主版色分版である、Ｂ−Ｋ１版を作成する工程
式（３）
ｙ＝ｃｘ
（式（３）中で、
ＣＭＹの３色中の任意の特定色に関し、
ｘはカラー原稿画像中の任意の微小面中に含まれ、色分解の結果として特定色が含まれる領域の合計面積が、前記微小面の面積に占める割合を示し、
ｙは前記特定色の主版色分版において、カラー原稿中の前記微小面に対応する位置における同一面積の微小面中で、特定色の前記主版色分版に形成された網点面積の合計値が前記微小面の面積に占める割合を示し、
ｃの値は０．６以上１．０以下であり、
式（１）はＣＭＹの３色のいずれの色についても成立する。）
式（４）
ｙ＝ｘ
（式（４）中で、
Ｋ色に関し、
ｘはカラー原稿画像中の任意の微小面中に含まれ、色分解の結果としてＫ色が含まれる領域の合計面積が、前記微小面の面積に占める割合を示し、
ｙは前記特定色の主版色分版において、カラー原稿中の前記微小面に対応する位置における同一面積の微小面中で、Ｋ色の前記主版色分版に形成された網点面積の合計値が前記微小面の面積に占める割合を示す。）
ロ−２  イ−２の工程で用いたと同一のカラー原稿画像をＣＭＹの３色に色分解して、式（５）を満足し、ＦＭスクリーンによる補色分版である、Ｂ−Ｃ２版、Ｂ−Ｍ２版とＢ−Ｙ２版を作成する工程
式（５）
ｙ＝ｘ×１／（１−ｄ）−ｄ／（１−ｄ）        
ただし、任意のｘに対してｙが負の値となるときは、ｙ＝０とする
（式（５）中で、
ＣＭＹの３色中の任意の特定色に関し、
ｘはカラー原稿画像中の任意の微小面中に含まれ、色分解の結果として特定色が含まれる領域の合計面積が、前記微小面の面積に占める割合を示し、
ｙは前記特定色の補色分版において、前記カラー原稿中の微小面に対応する位置における同一面積の微小面積中で、特定色の補色分版に形成された網点面積の合計値が前記微小面積に占める割合を示し、
ｄの値は０．１以上０．５以下であり、
式（２）はＣＭＹの３色のいずれの色についても成立する。）
ハ  Ｂ−Ｃ１版とＣインキの組合せ、Ｂ−Ｍ１版とＭインキの組合せ、Ｂ−Ｙ１版とＹインキの組合せ並びにＢ−Ｋ１版とＫインキの組合せを使用して、印刷基材に刷り重ねを行う工程
ニ  Ｂ−Ｃ２版とハの工程に使用したと同一のＣインキの組合せ、Ｂ−Ｍ２版とハの工程に使用したと同一のＭインキの組合せ並びにＢ−Ｙ２版とハの工程に使用したと同一のＹインキの組合せを使用して、印刷基材に刷り重ねを行う工程
【請求項５】
前記ハの工程に使用する前記Ｃインキ、前記Ｍインキ、前記Ｙインキ及び前記ＫインキがそれぞれＵＶインキであることを特徴とする請求項４に記載した印刷物の製造方法。
【請求項６】
前記印刷物を刷る印刷基材が、合成樹脂フィルムであることを特徴とする請求項４乃至５いずれかに記載した印刷物の製造方法。
【発明の詳細な説明】
【技術分野】
【０００１】
本発明はカラー画像を含む印刷物の製造方法に関するものである。
【背景技術】
【０００２】
例えば、クリアファイルを印刷基材としＵＶインキを用いて印刷物を製造する場合、ＣＭＹＫの色分版をＡＭスクリーンで作成して、刷り重ねて印刷を行っている。一方、カラー画像を含む印刷物の製造方法において、従来、主要色であるＣＭＹＫの４の分版をＡＭスクリーンで作成し、補助色、例えばＲＧＢの３の分版をＦＭスクリーンで作成し、それぞれの版を刷り重ねる方法が知られている（例えば、特許文献１参照）。
【０００３】
カラー画像を含む印刷物にあってはインキが高濃度に載った印刷物が求められる場合がある。ＣＭＹＫの色分版よりなる単一セットの刷版を用いて高濃度の印刷を行うとインキの濁りが出て、所望色の再現が困難になる。そこで、カラー画像を含む印刷物中の濃色部分がある場合に、ＡＭスクリーンで作成した主版（主版色分版）とＦＭスクリーンで作成した補色版（補色分版）を重ね刷りして、濃色部分を再現することが考えられる。
【０００４】
このようにして、高濃度単一（セット）印刷に伴うインキの濁りを回避することができる。しかし、高濃度で印刷をすると再現画像の調子つぶれが生じる問題があった。
【先行技術文献】
【特許文献】
【０００５】
【特許文献１】特開２００４−５８３９０号公報
【発明の概要】
【発明が解決しようとする課題】
【０００６】
解決しようとする問題点は、カラー画像を含む印刷物中の濃色部分の再現にあたり、調子つぶれが生じる点である。
【０００７】
本発明のその他の課題は、本発明の説明により明らかになる。
【課題を解決するための手段】
【０００８】
以下に課題を解決するための手段を述べる。
【０００９】
本発明の一の態様にかかる印刷物の製造方法は、
カラー画像を含む印刷物の製造方法において、以下の工程からなる。
イ  カラー原稿画像をＣＭＹＫの４色に色分解して、式（１）を満足し、ＡＭスクリーンによる主版色分版である、Ａ−Ｃ１版、Ａ−Ｍ１版、Ａ−Ｙ１版とＡ−Ｋ１版を作成する工程
式（１）
０≦ｘ≦０．５のとき  ｙ＝ｘ×（１−２ａ）  であり、
０．５≦ｘ≦１．０  のとき  ｙ＝ｘ×（１＋２ａ）−２ａ
（式（１）中で、
ＣＭＹＫの４色中の任意の特定色に関し、
ｘはカラー原稿画像中の任意の微小面中に含まれ、色分解の結果として特定色が含まれる領域の合計面積が、前記微小面の面積に占める割合を示し、
ｙは前記特定色の主版色分版において、カラー原稿中の前記微小面に対応する位置における同一面積の微小面中で、特定色の前記主版色分版に形成された網点面積の合計値が前記微小面の面積に占める割合を示し、
ａの値は０以上０．４以下であり、
式（１）はＣＭＹＫの４色のいずれの色についても成立する。）
ロ  イの工程で用いたと同一のカラー原稿画像をＣＭＹの３色に色分解して、式（２）を満足し、ＦＭスクリーンによる補色分版である、Ａ−Ｃ２版、Ａ−Ｍ２版とＡ−Ｙ２版を作成する工程
式（２）
ｙ＝ｂｘ
（式（２）中で、
ＣＭＹの３色中の任意の特定色に関し、
ｘはカラー原稿画像中の任意の微小面中に含まれ、色分解の結果として特定色が含まれる領域の合計面積が、前記微小面の面積に占める割合を示し、
ｙは前記特定色の補色分版において、前記カラー原稿中の微小面に対応する位置における同一面積の微小面積中で、特定色の補色分版に形成された網点面積の合計値が前記微小面積に占める割合を示し、
ｂの値は０．５以上０．８以下であり、
式（２）はＣＭＹの３色のいずれの色についても成立する。）
ハ  Ａ−Ｃ１版とＣインキの組合せ、Ａ−Ｍ１版とＭインキの組合せ、Ａ−Ｙ１版とＹインキの組合せ並びにＡ−Ｋ１版とＫインキの組合せを使用して、印刷基材に刷り重ねを行う工程
ニ  Ａ−Ｃ２版とハの工程に使用したと同一のＣインキの組合せ、Ａ−Ｍ２版とハの工程に使用したと同一のＭインキの組合せ並びにＡ−Ｙ２版とハの工程に使用したと同一のＹインキの組合せを使用して、印刷基材に刷り重ねを行う工程。
【００１０】
本発明の好ましい実施態様において、
前記ハの工程に使用する前記Ｃインキ、前記Ｍインキ、前記Ｙインキ及び前記ＫインキがそれぞれＵＶインキであってもよい。
【００１１】
本発明の他の好ましい実施態様において、
前記印刷物を刷る印刷基材が、合成樹脂フィルムであってもよい。
【００１２】
本発明の他の態様にかかる印刷物の製造方法は、
カラー画像を含む印刷物の製造方法において、
以下の工程からなる。
イ−２  カラー原稿画像をＣＭＹＫの４色に色分解して、
式（３）を満足し、ＡＭスクリーンによる主版色分版である、Ｂ−Ｃ１版、Ｂ−Ｍ１版とＢ−Ｙ１版並びに、
式（４）を満足し、ＡＭスクリーンによる主版色分版である、Ｂ−Ｋ１版を作成する工程
式（３）
ｙ＝ｃｘ
（式（３）中で、
ＣＭＹの３色中の任意の特定色に関し、
ｘはカラー原稿画像中の任意の微小面中に含まれ、色分解の結果として特定色が含まれる領域の合計面積が、前記微小面の面積に占める割合を示し、
ｙは前記特定色の主版色分版において、カラー原稿中の前記微小面に対応する位置における同一面積の微小面中で、特定色の前記主版色分版に形成された網点面積の合計値が前記微小面の面積に占める割合を示し、
ｃの値は０．６以上１．０以下であり、
式（１）はＣＭＹの３色のいずれの色についても成立する。）
式（４）
ｙ＝ｘ
（式（４）中で、
Ｋ色に関し、
ｘはカラー原稿画像中の任意の微小面中に含まれ、色分解の結果としてＫ色が含まれる領域の合計面積が、前記微小面の面積に占める割合を示し、
ｙは前記特定色の主版色分版において、カラー原稿中の前記微小面に対応する位置における同一面積の微小面中で、Ｋ色の前記主版色分版に形成された網点面積の合計値が前記微小面の面積に占める割合を示す。）
ロ−２  イ−２の工程で用いたと同一のカラー原稿画像をＣＭＹの３色に色分解して、式（５）を満足し、ＦＭスクリーンによる補色分版である、Ｂ−Ｃ２版、Ｂ−Ｍ２版とＢ−Ｙ２版を作成する工程
式（５）
ｙ＝ｘ×１／（１−ｄ）−ｄ／（１−ｄ）        
ただし、任意のｘに対してｙが負の値となるときは、ｙ＝０とする
（式（５）中で、
ＣＭＹの３色中の任意の特定色に関し、
ｘはカラー原稿画像中の任意の微小面中に含まれ、色分解の結果として特定色が含まれる領域の合計面積が、前記微小面の面積に占める割合を示し、
ｙは前記特定色の補色分版において、前記カラー原稿中の微小面に対応する位置における同一面積の微小面積中で、特定色の補色分版に形成された網点面積の合計値が前記微小面積に占める割合を示し、
ｄの値は０．１以上０．５以下であり、
式（２）はＣＭＹの３色のいずれの色についても成立する。）
ハ  Ｂ−Ｃ１版とＣインキの組合せ、Ｂ−Ｍ１版とＭインキの組合せ、Ｂ−Ｙ１版とＹインキの組合せ並びにＢ−Ｋ１版とＫインキの組合せを使用して、印刷基材に刷り重ねを行う工程
ニ  Ｂ−Ｃ２版とハの工程に使用したと同一のＣインキの組合せ、Ｂ−Ｍ２版とハの工程に使用したと同一のＭインキの組合せ並びにＢ−Ｙ２版とハの工程に使用したと同一のＹインキの組合せを使用して、印刷基材に刷り重ねを行う工程。
【００１３】
第二の発明の好ましい実施態様において、
前記ハの工程に使用する前記Ｃインキ、前記Ｍインキ、前記Ｙインキ及び前記ＫインキがそれぞれＵＶインキであってもよい。
【００１４】
第二の発明の他の好ましい実施態様において、
前記印刷物を刷る印刷基材が、合成樹脂フィルムであってもよい。
【００１５】
以上説明した本発明、本発明の好ましい実施態様、これらに含まれる構成要素は可能な限り組み合わせて実施することができる。
【発明の効果】
【００１６】
本発明は２つの態様を有する。本発明にかかる印刷物の製造方法は、両者ともに、その他の特徴とともに、４原色の重ね刷り過程について、主版色分版を使用する第一のセットと、補色分版を使用する第二のセットに分割し、かつ、色分解データに補正を加えて、主版色分版と補色分版の網点面積の最適化を図った。このため、インキを高濃度に刷った印刷物でありながら、多色刷りにおける調子つぶれが回避される。
【００１７】
当該製造方法は色彩の中の調子再現を可能とする。また、本発明は両者ともに、高濃度でインキを置きつつ、濁りを抑制した印刷物を製造することができる。
【図面の簡単な説明】
【００１８】
【図１】図１は、製造方法Ａにおける、主版作成時の補正式（式（１））を説明するグラフである。
【図２】図２は、製造方法Ａにおける、補色版作成時の補正式（式（２））を説明するグラフである。
【図３】図３は、製造方法Ｂにおける、主版色分版セットの中で、ＣＭＹ色用の刷版作成時の補正式（式（３））を説明するグラフである。
【図４】図４は、製造方法Ｂにおける、補色版作成時の補正式（式（５））を説明するグラフである。
【発明を実施するための形態】
【００１９】
以下、図面を参照して本発明の実施例にかかる印刷物の製造方法をさらに説明する。本発明の実施例に記載した部材や部分の寸法、材質、形状、その相対位置などは、とくに特定的な記載のない限りは、この発明の範囲をそれらのみに限定する趣旨のものではなく、単なる説明例にすぎない。
【００２０】
本発明の態様は２つある。２発明の相違点は、製版方法（特に色分解データから版を製造するに際して行う補正の方法）にある。便宜上、２の製版方法を製版方法Ａ、製版方法Ｂと呼ぶ。
【００２１】
製版方法Ａにより製造される版は、Ａ−Ｃ１版、Ａ−Ｍ２版のように、最初にＡの文字を付けて表示している。製版方法Ａにより製造される版を使用する印刷物の製造方法は製造方法Ａと呼び、製造される印刷物を印刷物Ａと呼ぶ。これらは、請求項１乃至３に記載した発明に対応する。
【００２２】
製版方法Ｂにより製造される版は、Ｂ−Ｃ１版、Ｂ−Ｍ２版のように、最初にＢの文字を付けて表示している。製版方法Ｂにより製造される版を使用する印刷物の製造方法は製造方法Ｂと呼び、製造される印刷物を印刷物Ｂと呼ぶ。これらは、請求項４乃至６に記載した発明に対応する。
【００２３】
製版方法ＡとＢ、製造方法ＡとＢ、印刷物ＡとＢを区別しない場合には、単に製版方法、製造方法、印刷物と呼ぶ場合がある。
【００２４】
製造方法Ａと製造方法Ｂは、カラー原稿画像の色彩特徴に応じて使い分けることを意図している。
【００２５】
製造方法Ａを採用することが好ましいのは以下の(1)と(2)の場合である。
(1) カラー原稿画像の中に占める明るい部分の面積の割合が、概ね原稿画像全体の半分以上の場合。
(2) カラー原稿画像の中に占めるＣＭＹの一次色、二次色の面積の割合が、概ね原稿画像全体の半分以上の場合。
【００２６】
(1)において明るい部分とは、従来のＣＭＹＫ（特色や補色を使用しない）４色分解データにおいて、Ｃ版の網点量５０％以下とすべき部分であり、同時に、Ｍ版の網点量５０％以下とすべき部分であり、Ｙ版とＫ版についても同様である部分を意味する。(2)において、ＣＭＹの一次色とは、それぞれ、藍、紅、黄の各色である。ＣＭＹの二次色とは、２色の混合により作り出される色であり、緑、赤、青の各色である。
【００２７】
製造方法Ｂを採用することが好ましいのは、製造方法Ａの採用に該当しない場合である。
【００２８】
もっとも、(1)と(2)は、特定の特徴を有する面積が、全体の概ね半分で区分されていて、明確な区分けが困難な場合があり、両者の製造方法を採用した試し刷りをして、どちらかの製造方法の選定を選択することもある。
【００２９】
製造方法Ａを説明する。
【００３０】
主版色分版を作成する。使用インキはＣＭＹＫの４色である。このため、カラー原稿画像をＣＭＹＫの４色に色分解して、４つの主版色分版を作成する。４つの主版色分版は、Ｃインキ用のＡ−Ｃ１版、Ｍインキ用のＡ−Ｍ１版、Ｙインキ用のＡ−Ｙ１版と墨インキ用のＡ−Ｋ１版である。
【００３１】
４つの主版色分版は、ＡＭスクリーン版である。ＡＭスクリーン版は、たとえば、直交あるいは斜交する網点セルが規則的に並んだその網点セルを構成する網点の大きさで画像の階調を再現する方式を採用している。具体的には、１７５line/inchのＡＭ網点を使用している。
【００３２】
色分解を行い色分版を作成する過程は、従来の色分版作成と同様であるが、中間調の領域で、色分解データよりも版の網点量を少なくする。主版と補色版の２セットに分けて、同一インキを２回印刷するので、インキ量が極端に多くなることを避けるために、中間調部分でインキ量を少なくするものである。
【００３３】
図１は主版作成時の補正式（式（１））を説明するグラフである。横軸に、ｘ×１００の値（すなわち百分率）を示し、縦軸にｙ×１００の値（すなわち百分率）を示している。
【００３４】
ｘはカラー原稿画像中の任意の微小面中に含まれ、色分解の結果として特定色が含まれる領域の合計面積が、前記微小面の面積に占める割合を示す。
【００３５】
ｙは前記特定色の主版色分版において、カラー原稿中の前記微小面に対応する位置における同一面積の微小面中で、特定色の前記主版色分版に形成された網点面積の合計値が前記微小面の面積に占める割合を示す。網点面積の合計値とは、微小面に含まれる網点に関して、一つ一つの網点についてその面積を計測し、当該面積値を合計した値である。以下の式（２）〜（５）についても同じである。
【００３６】
図１中に補正方法を示すグラフを実線で示している。破線で示す線は補正を行わない（従来の）ｘとｙの関係を示す線である。
【００３７】
図１に示すグラフは、画像原稿のＣ色分解データとＡ−Ｃ１版に適用される。また、図１に示すグラフは、画像原稿のＭ色分解データとＡ−Ｍ１版に適用される。さらに、図１に示すグラフは、画像原稿のＹ色分解データとＡ−Ｙ１版に適用される。さらにまた、図１に示すグラフは、画像原稿のＫ色分解データとＡ−Ｋ１版に適用される。
【００３８】
微小面の面積は、色分解装置の分解能力と印刷における微細点描画能力に依存して変わるが、１７５line/inchのＡＭ網点の場合には、通常、１００μｍ×１００μｍ程度である。
【００３９】
Ｃ色分解データとＡ−Ｃ１版に適用されるグラフとして説明する。Ｃ色分解データの値であるｘが０．５（すなわち５０％）であるとき、補正を行わない従来のＣ版では網点の合計面積は微小面の５０％となる。
【００４０】
ｘが０．５の値を取るときの減量補正の割合を定め、これを数値で示すと補正方法を直感的に把握することができる。当該減量の割合の数値範囲は、通常０％以上４０％以下、好ましくは０％以上３０％以下、より好ましくは１％以上１５％以下、もっとも好ましくは５％以上１０％以下である。減量割合の下限値は、通常０％であり、好ましくは１％であり、より好ましくは５％である。
【００４１】
そして、このように減量した結果のｙの値がｘの増減に応じて滑らかに変化するように、原点とｘ＝１、ｙ＝１の点を結べばよい。
もっとも、単純かつ分かりやすい結び状態は、直線で結ぶことであり、当該補正は式（１）で表される。
【００４２】
すなわち、ｘ＝０．５であるとき、ｙの値がａ×ｘに減量されるとして、
式（１）
０≦ｘ≦０．５のとき  ｙ＝ｘ×（１−２ａ）  であり、
０．５≦ｘ≦１．０  のとき  ｙ＝ｘ×（１＋２ａ）−２ａ
で示される。
【００４３】
もっとも、式（１）は好ましい減量割合を示す１の例であり、例えば、原点とｘ＝０．５を滑らかな曲線で結ぶ形の補正式であってもよい。この場合には、０≦ｘ≦０．５の範囲では、曲線の微分値をグラフに描けば、全範囲で、右上がりとなる。
【００４４】
なお、以下に説明する、式（２）、式（３）と式（５）に関しても、グラフの両端を規定するポイントを結ぶ線は、かならずしも直線でなくてもよく、滑らかな曲線でこれら両端を結ぶ関係であってもよい。
【００４５】
また、Ｃ色とＡ−Ｃ１版に適用される式（１）中のａの値は、同一の主版セットの中で、そのまま、Ｍ色とＡ−Ｍ１版、Ｙ色とＡ−Ｙ１版、Ｋ色とＡ−Ｋ１版を規定する式（１）中のａの値とすることが好ましい。当該ａの値は、同一の主版セットの中で、色分版ごとに変更してもよい。
【００４６】
次に、補色分版を作成する。使用インキはＣＭＹの３色である。このため、カラー原稿画像をＣＭＹの３色に色分解して、３つの補色分版を作成する。３つの補色分版は、Ｃインキ用のＡ−Ｃ２版、Ｍインキ用のＡ−Ｍ２版、Ｙインキ用のＡ−Ｙ２版である。
【００４７】
３つの補色分版は、ＦＭスクリーン版である。ＦＭスクリーン版は、規則性を持たない原則として同一サイズの画素の密度で階調を再現する方式を採用している。具体的には、約２０μｍのＦＭ網点を使用している。
【００４８】
色分解を行い、色分版を作成する過程は、従来の色分版作成と同様であるが、全階調領域で、色分解データよりも版のインキ印刷面を少なくする。
【００４９】
図２は補色版作成時の補正式（式（２））を説明するグラフである。横軸に、ｘ×１００の値（すなわち百分率）を示し、縦軸にｙ×１００の値（すなわち百分率）を示している。
【００５０】
ｘはカラー原稿画像中の任意の微小面中に含まれ、色分解の結果として特定色が含まれる領域の合計面積が、前記微小面の面積に占める割合を示している。ｙは前記特定色の補色分版において、前記カラー原稿中の微小面に対応する位置における同一面積の微小面積中で、特定色の補色分版に形成された網点面積の合計値が前記微小面積に占める割合を示している。
【００５１】
図２中に補正方法を示すグラフを実線で示している。破線で示す線は補正を行わない（従来の）ｘとｙの関係を示す線である。
補正式は、ｙ＝ｂｘ          式（２）
である。
【００５２】
ｂの値の範囲は、通常０．５以上０．８以下であり、好ましくは０．５以上０．７以下であり、より好ましくは０．５５以上０．６５以下である。
【００５３】
当該補正式は、Ｃ色分解データとＡ−Ｃ２版の関係に適用される。また、当該補正式は、Ｍ色分解データとＡ−Ｍ２版の関係に適用される。さらにまた、当該補正式は、Ｙ色分解データとＡ−Ｙ２版の関係に適用される。
【００５４】
Ｃ色分解データとＡ−Ｃ２版に適用されるｂの値は、同一補色版セットの中で、そのまま、Ｍ色分解データとＡ−Ｍ２版の式（２）、同じく、Ｙ色分解データとＡ−Ｙ２版の式（２）の関係に適用することが好ましい。当該ｂの値は、同一補色版セットの中で、色分版ごとに変更してもよい。
【００５５】
続いて、主版セットを使用して印刷を行う。具体的には、Ａ−Ｃ１版とＣインキの組合せ、Ａ−Ｍ１版とＭインキの組合せ、Ａ−Ｙ１版とＹインキの組合せ並びにＡ−Ｋ１版とＫインキの組合せを使用して、印刷基材に刷り重ねを行う。
【００５６】
次に、補色版セットを使用して印刷を行う。具体的には、Ａ−Ｃ２版とハの工程に使用したと同一のＣインキの組合せ、Ａ−Ｍ２版とハの工程に使用したと同一のＭインキの組合せ並びにＡ−Ｙ２版とハの工程に使用したと同一のＹインキの組合せを使用して、前記主版セットで印刷した部分に、刷り重ねを行う。
【００５７】
本発明において、４に分けて説明した工程（すなわちイの工程、ロの工程、ハの工程とヘの工程）は、記載順序実行してもよく、任意の順序で行ってもよい。ただし、主版セットを用いる印刷工程は、主版セット作成工程の後に行う。また、補色版セットを用いる印刷工程は、補色版セット作成工程の後に行う。
【００５８】
クリアファイルに印刷する場合には、表面が視認面となるので、透明シートの裏面に印刷することが好ましい。そこで、裏面にまず主版セットを用いる印刷工程を行い、その後に、当該裏面に、補色版セットを用いる印刷工程を行う。
【００５９】
インキは特に限定されない。本発明に用いる好ましいインキはＵＶインキである。ＵＶインキは、高濃度印刷を行うと濁りが出やすいからである。ＵＶインキとは、紫外線硬化性のインキである。
【００６０】
印刷基材は、紙、合成樹脂フィルムなどである。本発明の好ましい適用例は、例えば、厚さ０．２ｍｍの透明または半透明のポリエチレンフィルムである。
【００６１】
本発明の好ましい実施態様は、印刷基材として合成樹脂フィルムを使用し、インキとしてＵＶインキを使用する態様である。
【００６２】
続いて、製造方法Ｂを説明する。
【００６３】
製造方法Ｂは、製造方法Ａと製版時の補正が異なるが、その他（例えば、印刷インキ、印刷基材、印刷工程など）は製造方法Ａと同一であるので、製版方法Ｂのみを説明する。
【００６４】
主版色分版を作成する。主版色分版において、ＣＭＹ色用の刷版すなわち、Ｂ−Ｃ１、Ｂ−Ｍ１とＢ−Ｙ１は、階調を減じる補正をする。主版色分版において、Ｋ色用の刷版すなわち、Ｂ−Ｋ１は、色分解データを補正せず、当該データを用いて刷版を作成する。
【００６５】
図３は主版色分版セットの中で、ＣＭＹ色用の刷版作成時に行う補正式（式（３））を説明するグラフである。横軸に、ｘ×１００の値（すなわち百分率）を示し、縦軸にｙ×１００の値（すなわち百分率）を示している。
【００６６】
ｘはカラー原稿画像中の任意の微小面中に含まれ、色分解の結果として特定色が含まれる領域の合計面積が、前記微小面の面積に占める割合を示している。
【００６７】
ｙは前記特定色の主版色分版において、カラー原稿中の前記微小面に対応する位置における同一面積の微小面中で、特定色の前記主版色分版に形成された網点面積の合計値が前記微小面の面積に占める割合を示している。
【００６８】
図３中に補正方法を示すグラフを実線で示している。破線で示す線は補正を行わないｘとｙの関係を示す線である。
当該補正は、式（３）で表される。
ｙ＝ｃｘ    式（３）  
【００６９】
ｃの値の範囲は、通常、０．６以上１．０以下、好ましくは０．７以上１．０以下、より好ましくは０．８以上０．９５以下である。
【００７０】
また、Ｃ色とＢ−Ｃ１版に適用される式（３）中のｃの値は、同一の主版セットの中で、そのまま、Ｍ色とＢ−Ｍ１版、Ｙ色とＢ−Ｙ１版を規定する式（３）中のｃの値とすることが好ましい。当該ｃの値は、同一の主版セットの中で、色分版ごとに変更してもよい。
【００７１】
主版色分版セットの中で、墨色刷版Ｂ−Ｋ１は補正をしない。すなわち、上記と同様の表現をすれば、式（４）
ｙ＝ｘ      式（４）
の関係である。
【００７２】
補色分版を作成する。補色分版はＣＭＹ色版を作成する。補色分版は、色分解データの淡色領域について、特定の値範囲で印刷量がゼロになるように減少させ、１００％色分解データ領域では、１００％印刷量を維持する。
【００７３】
図４は補色版作成時の補正式（式（５））を説明するグラフである。横軸に、ｘ×１００の値を示し、縦軸にｙ×１００の値を示している。
【００７４】
ｘはカラー原稿画像中の任意の微小面中に含まれ、色分解の結果として特定色が含まれる領域の合計面積が、前記微小面の面積に占める割合を示している。
【００７５】
ｙは前記特定色の補色分版において、前記カラー原稿中の微小面に対応する位置における同一面積の微小面積中で、特定色の補色分版に形成された網点面積の合計値が前記微小面積に占める割合を示している。
【００７６】
当該補正は、式（５）で示される。
【００７７】
ｙ＝ｘ×１／（１−ｄ）−ｄ／（１−ｄ）          式（５）
ただし、任意のｘに対してｙが負の値となるときは、ｙ＝０とする。
【００７８】
入念のために説明すれば、０≦ｘ≦ｄの範囲をとるｘの場合にｙ＝０とする。
【００７９】
ｄの値の範囲は、通常０．１以上０．５以下であり、好ましくは０．２以上０．４以下であり、より好ましくは０．２以上０．３以下である。
【００８０】
当該補正式は、Ｃ色分解データとＢ−Ｃ２版の関係に適用される。また、当該補正式は、Ｍ色分解データとＢ−Ｍ２版の関係に適用される。さらにまた、当該補正式は、Ｙ色分解データとＢ−Ｙ２版の関係に適用される。
【００８１】
Ｃ色分解データとＢ−Ｃ２版に適用されるｄの値は、同一補色版セットの中で、そのまま、Ｍ色分解データとＢ−Ｍ２版の式（５）、同じく、Ｙ色分解データとＢ−Ｙ２版の式（５）の関係に適用することが好ましい。当該ｄの値は、同一補色版セットの中で、色分版ごとに変更してもよい。
【図１】
2011126244.tif 000003
【図２】
2011126244.tif 000004
【図３】
2011126244.tif 000005
【図４】
2011126244.tif 000006